(57)【特許請求の範囲】
【請求項１】
互いに一体的に連結したリアカバーとフロントカバーとからなる筐体内の上方後部に給紙部が設けられると共に、該筐体内の給付部よりも下方前部に印刷部及び排紙部が設けられ、該排紙部が排紙ローラと複数のスターホイールとを有しており、前記給紙部から下方前部に送り出した用紙に印刷部で印刷を施し、その印刷した用紙を前記排紙ローラと複数のスターホイールとにより挟み付けて送り出すようにしたプリンタにおいて、前記排紙ローラの両端部がリアカバーの軸受部に回転可能に支持され、前記複数のスターホイールを回転可能に支持するスターホイールハウジングが前記フロントカバーに一体形成されると共に、該スターホイールハウジングの両端部がリアカバーの受台に止着具により止着され、リアカバーの上部とフロントカバーの後端部とが連結具により連結されていることを特徴とするプリンタ。
【発明の詳細な説明】
【０００１】
【発明の属する技術分野】
本発明は、構造が簡単で排紙作用を円滑に行うことができるようにしたプリンタに関する。
【０００２】
【従来の技術】
従来、インクジェット式プリンタの一例として図４〜図６に示すものがある。
これは、互いに一体的に連結したリアカバー１Ａとフロントカバー１Ｂとからなる筐体１内に給紙部２、印刷部３及び排紙部４が設けられたものである。
【０００３】
前記給紙部２は、筐体１の後部の給紙口に設けた給紙トレイ５と、該給紙トレイ５に沿って配置した支持軸６と、該支持軸６に取り付けたピックアップユニット７とを有し、該ピックアップユニット７の先端に給紙ローラ７ａが回転可能に配置され、該給紙ローラ７ａを給紙トレイ５に向かって付勢するばね７ｂが設けられており、駆動モータ（図示せず）により支持軸６及びピックアップユニット７内の歯車機構を介して給紙ローラ７ａを回転させることにより、給紙トレイ５上にセットした用紙Ｐを１枚だけ送り出すようになっている。
【０００４】
前記印刷部３は、ガイドシャフト９及びガイド枠１０に沿って往復移動可能なキャリッジ１１に搭載された印刷ヘッド１２及びインクタンク１３と、送りローラ１４及び押さえローラ１５とを有しており、給紙部２から送りローラ１４と押さえローラ１５との間に送り出した用紙Ｐに対して印刷ヘッド１２により印刷が施される。
【０００５】
前記排紙部４は、排紙ローラ１７と複数のスターホイール１８とを有し、排紙ローラ１７の両端部がリアカバー１Ａの軸受部１ａに回転可能に支持され、各スターホール１８を支持する略コ字状のスターホイールハウジング１９の両端部１９ａがリアカバー１Ａの底壁部に突設した受台１ｂにビスなどの止着具２０により止着されており、印刷部３から送り出した用紙Ｐを排紙ローラ１７と各スターホイール１８とで挟み付けて筐体１の排紙口から外部に送り出す。なお、図４中、２１はリアカバー１Ａの上部とフロントカバー１Ｂの後端部とを連結するビスなどの連結具である。
【０００６】
上記構成において、排紙ローラ１７と各スターホイール１８との関係については例えば特開平６−２１０９１６号公報などに記載されているが、その排紙ローラ１７と各スターホイールハウジング１９との間の間隔が狭過ぎると、各スターホイール１８により用紙Ｐに点状の傷が付けられ、また、排紙ローラ１７と各スターホイール１８との間の間隔が広過ぎると、その両者１７，１８により用紙Ｐを送り出すことが困難になる。従って、排紙作用を円滑に行うためには、排紙ローラ１７と各スターホイール１８との間の間隔を所定通りに精密に設定する必要がある。
【０００７】
上記要望に基づき、従来では、スターホイール１８を支持するスターホイールハウジング１９をリアカバー１Ａ及びフロントカバー１Ｂから分離独立させ、そのスターホイールハウジング１９の両端部１９ａをリアカバー１Ａの受台１ｂに止着することにより、排紙ローラ１７と各スターホイール１８との間の間隔を所定通りに精密に設定し、これによって、排紙作用を円滑に行うことができるようにしている。
【０００８】
【発明が解決しようとする課題】
上記従来の構成では、スターホイールハウジング１９をリアカバー１Ａ及びフロントカバー１Ｂから分離独立させているため、部品点数が増加し、金型代が高くつき、コストアップになっている。
【０００９】
そこで、スターホイールハウジング１９をリアカバー１Ａに一体化させることが考えられるが、これでは、リアカバー１Ａの構造が元々複雑であるため、スターホイールハウジング１９を一体化することにより、そのリアカバー１Ａの構造が一層複雑になって、金型代が高くつく。また、単に一体化しただけでは、スターホイールハウジング１９が成形歪みにより変形する虞れがあり、これによって、そのスターホイールハウジング１９に支持されているスターホイール１８と排紙ローラ１７との間の間隔を所定通りに精密に設定することができず、排紙作用を円滑に行うことが困難になる。
【００１０】
本発明は、上記従来の欠点に鑑み、構造が簡単で排紙作用を円滑に行うことができるようにしたプリンタを提供することを目的としている。
【００１１】
【課題を解決するための手段】
上記目的を達成するため、請求項１記載の発明は、互いに一体的に連結したリアカバーとフロントカバーとからなる筐体内の上方後部に給紙部が設けられると共に、該筐体内の給付部よりも下方前部に印刷部及び排紙部が設けられ、該排紙部が排紙ローラと複数のスターホイールとを有しており、前記給紙部から下方前部に送り出した用紙に印刷部で印刷を施し、その印刷した用紙を前記排紙ローラと複数のスターホイールとにより挟み付けて送り出すようにしたプリンタにおいて、前記排紙ローラの両端部がリアカバーの軸受部に回転可能に支持され、前記複数のスターホイールを回転可能に支持するスターホイールハウジングが前記フロントカバーに一体形成されると共に、該スターホイールハウジングの両端部がリアカバーの受台に止着具により止着され、リアカバーの上部とフロントカバーの後端部とが連結具により連結されていることを特徴としている。
【００１２】
上記構成によれば、フロントカバーの構造が元々簡単であるから、該フロントカバーにスターホイールハウジングを一体形成させても、そのフロントカバーの金型代がほとんど高くならない。その一方で、従来必要であったスターホイールハウジングの金型が不要であるから、その不要になった分だけ金型代が安くつく。
【００１３】
また、スターホイールハウジングの両端部が従来と同様にリアカバーに止着されているから、該スターホイールハウジングに回転可能に支持されたスターホイールと排紙ローラとの間の間隔を所定通りに精密に設定して、排紙作用を円滑に行うことができる。
【００１４】
【発明の実施の形態】
図１〜図３は本発明の実施の一形態であるインクジェット式プリンタを示すものであって、複数のスターホイール１８を回転可能に支持するスターホイールハウジング１９がフロントカバーに一体形成されている。上記以外の構成は図４〜図６に示す従来例とほぼ同じであるから、同一部分に同一符号を付してその説明を省略する。
【００１５】
上記構成によれば、フロントカバー１Ｂの構造が元々簡単であるから、該フロントカバー１Ｂにスターホイールハウジング１９を一体形成させても、そのフロントカバー１Ｂの金型代がほとんど高くならない。その一方で、従来必要であったスターホイールハウジング１９の金型が不要であるから、その不要になった分だけ金型代が安くつく。
【００１６】
また、前記スターホイールハウジング１９の両端部１９ａがリアカバー１Ａの受台１ｂに止着具２０により止着されている。
【００１７】
上記構成によれば、スターホイールハウジング１９の両端部１９ａが従来と同様にリアカバー１Ａに止着されているから、該スターホイールハウジング１９に回転可能に支持されたスターホイール１８と排紙ローラ１７との間の間隔を所定通りに精密に設定して、排紙作用を円滑に行うことができる。
【００１８】
上記実施の形態では、インクジェット式プリンタを例にあげて説明したが、これに限定されるわけではなく、レーザー式プリンタや熱転写式プリンタなどの各種のプリンタに適用することができる。
【００１９】
【発明の効果】
請求項１記載の発明によれば、フロントカバーの構造が元々簡単であるから、該フロントカバーにスターホイールハウジングを一体形成させても、そのフロントカバーの金型代がほとんど高くならない。その一方で、従来必要であったスターホイールハウジングの金型が不要であるから、その不要になった分だけ金型代が安くつく。
【００２０】
また、スターホイールハウジングの両端部が従来と同様にリアカバーに止着されているから、該スターホイールハウジングに回転可能に支持されたスターホイールと排紙ローラとの間の間隔を所定通りに精密に設定して、排紙作用を円滑に行うことができる。
【図面の簡単な説明】
【図１】本発明の実施の一形態であるインクジェット式プリンタの縦断面図である。
【図２】同一部切欠き正面図である。
【図３】同要部の分解斜視図である。
【図４】従来例を示す縦断面図である。
【図５】同一部切欠き正面図である。
【図６】同要部の分解斜視図である。
【符号の説明】
１      筐体
１Ａ    リアカバー
１Ｂ    フロントカバー
２      給紙部
３      印刷部
４      排紙部
１７    排紙ローラ
１８    スターホイール
１９    スターホイールハウジング
１９ａ  スターホイールハウジングの端部
２０    止着具
Ｐ      用紙
【図１】
0003552983.tif 000002
【図２】
0003552983.tif 000003
【図３】
0003552983.tif 000004
【図４】
0003552983.tif 000005
【図５】
0003552983.tif 000006
【図６】
0003552983.tif 000007